(57)【特許請求の範囲】
【請求項１】
パチンコ島のパチンコ台の設置区画にパチンコ台を取付けるにあたり、設置区画を構成する上架板にパチンコ台枠の上部板を取付けるパチンコ台枠の上部取付け装置であって、
パチンコ台枠の取付けにおいて、上架板の下方に導入される上部板の上下に一対で設けられ、それぞれの回転中心部をピンで支持部材に軸支して先端部が上下に開閉自在とするとともに、この回転中心部には対向方向に係合部を設け、この係合部相互をピンで軸支して先端部が反する向きに開閉するようにし、さらに何れか一方の係合部にはリンクを備えた挟持板と、
挟持板のリンクと係合して挟持板を開閉する開閉手段と、
開閉手段を装着した上記の支持部材と、
支持部材を固着もしくは、上下移動自在とした接続手段を介して連結して、この支持部材をパチンコ島の前後方向に移動可能とする移動調節手段と、
移動調節手段を備えるとともにパチンコ島の上架板に止着する止着部材と、
から少なくとも構成され、
開閉手段を操作し、挟持板でパチンコ台枠の上部板を上下より押圧挟持してパチンコ台枠を取付けることを特徴とするパチンコ台枠の上部取付け装置。
【請求項２】
前記開閉手段は、支持部材に回転自在として縦向きに設けられ、一端を支持部材の底面より突出して操作部を設けた回転ボルトと、
支持部材に回転を規制された状態で回転ボルトに螺合した板ナットとで構成するとともに、
板ナットの下面にバネの付勢によって挟持板のリンクを係合して、操作部を回転操作することで挟持板が開閉するようにし、
挟持板は上記での開扉状態で外圧によって自在に閉扉でき、パチンコ台枠にパチンコ台を装着した状態での取付けにおいて、下の挟持板がパチンコ台の基盤ケースと干渉しても上へ逃げて取付けが可能となるようにしたことを特徴とする請求項１記載のパチンコ台枠の上部取り付け装置。
【請求項３】
前記支持部材は、移動調節手段と上下移動自在として接続手段を介して連結するにあたり、挟持板が開扉した状態で上の挟持板の先端部が上架板の下面に押圧係合するようにして連結して、
台枠の上部板が上架板の下方に導入されるにあたり上の挟持板と干渉しないようにし、
また、上部板の取付け後の閉扉状態で上架板との係合を離脱して、パチンコ台枠を前後に移動調節できるようにしたことを特徴とする請求項１記載のパチンコ台枠の上部取り付け装置。
【請求項４】
前記支持部材は、移動調節手段と固着した状態で止着部材によってパチンコ島の上架板に止着するにあたり、挟持板が開扉した状態で上の挟持板の先端部が上架板の下面に押圧係合するようにして止着し、
台枠の上部板が上架板の下方に導入されるにあたり上の挟持板と干渉しないようにし、
また、上部板の取付け後の閉扉状態で上架板との係合を離脱して、パチンコ台枠を前後に移動調節できるようにしたことを特徴とする請求項１記載のパチンコ台枠の上部取り付け装置。
【請求項５】
上の挟持板は、先端部の下面をテーパーに形成してパチンコ台枠の上部板との干渉防止を図ったことを特徴とする請求項１と請求項３と請求項４記載のパチンコ台枠の上部取付け装置。
【請求項６】
前記挟持板の軸支位置を、相互の係合部の軸支位置を中心として、上の挟持板の軸支位置を前方、下の挟持板の軸支位置を後方とし、
下の挟持板の開扉角度＞上の挟持板の開扉角度の関係として、
パチンコ台枠の上部板の上下面が略同時的に挟持板で押圧挟持されるようにしたことを特徴とする請求項１記載のパチンコ台枠の上部取付け装置。
【請求項７】
前記開閉手段は、この操作部をトルク調整機構を備えたトルクドライバーで駆動するようにして、挟持板が台枠の上部板を一定の力で押圧挟持するようにしたことを特徴とする請求項２記載のパチンコ台枠の上部取付け装置。
【請求項８】
前記止着部材は、止着部をパチンコ島の上架板の上面に配設して、上架板の下側よりネジを貫通して上架板を上下より挟んで止着し、
移動調節手段は、止着部材に懸架した移動調節ボルトと、この移動調節ボルトに螺合した連結ナットとで構成し、
連結ナットを支持部材に設けた受け部に挿入するとともに支持部材の底部よりボルトを貫通して連結ナットに螺合した接続手段によって、支持部材を上下調整自在に連結し、
挟持板が開扉した状態で、上の挟持板の先端部が上架板の下面に押圧係合するようにして支持部材の高さを設定することで、上架板の厚みにかかわらずにパチンコ台枠の上部板が取り付けできるようにしたことを特徴とする請求項１と請求項３記載のパチンコ台枠の上部取付け装置。
【請求項９】
前記支持部材の受部における連結ナットの挿入間隙に弾機手段を配設して、連結ナットを支持部材の前方向もしくは後方向に付勢し、
パチンコ台の台枠がパチンコ島の上架板の下側に導入されるにあたり、台枠の高さに対応して支持部材および挟持板が弾機手段の付勢個所を支点として上下に傾くようにし、
パチンコ島の上架板と台枠の上部板との間隙の大小に係らずに台枠の取付が行なわれるようにしたことを特徴する請求項１と請求項３と請求項８に記載のパチンコ台枠の上部取付け装置。
【請求項１０】
前記止着部材の止着部は、上の挟持板の先端部がパチンコ島の上架板の下面に押圧係合するようにしてパチンコ島の上架板の下面にネジで止着し、
台枠の上部板が上架板の下方に導入されるにあたり上の挟持板と干渉しないようにし、
また、上部板の取付け後の閉扉状態で上架板との係合を離脱して、パチンコ台枠を前後に移動調節できるようにしたことを特徴とする請求項１と請求項４に記載のパチンコ台枠の上部取り付け装置。
【請求項１１】
移動調節手段は、止着部材に懸架した移動調節ボルトと、この移動調節ボルトに螺合するとともに支持部材を固着した連結ナットとで構成し、
止着部材は移動調節ボルトを懸架支承する軸受個所に縦向きの長穴を形成して回転自在に支承し、
パチンコ台の台枠がパチンコ島の上架板の下側に導入されるにあたり、台枠の高低に対応して、移動調節ボルトが長穴内で上下移動するようにして、
パチンコ島の上架板と台枠の上部板との間隙の大小に係らずに、台枠の取付が行なわれるようにしたことを特徴する請求項１と請求項４と請求項１０に記載のパチンコ台枠の上部取付け装置。
【発明の詳細な説明】
【技術分野】
【０００１】  この発明はパチンコ台をパチンコ島に取付ける装置に関し、特にパチンコ台枠の上部取付け装置に関する。
【背景技術】
【０００２】  パチンコ台をパチンコ島に取付ける場合、パチンコ台より分離した台枠を先に取付けした後に、この台枠にパチンコ台を装着する手段と、パチンコ台に台枠がセットされた状態で取付ける手段の２通りがある。【０００３】  作業効率の観点で後者が勝りこれら取付け器具が提案されているが、パチンコ台の後ろ側に装着されている基盤ケースの大型化によって、このケースと台枠の上部板との間隔が少ないため取付け器具と干渉して、現実にはセット状態での取付けができない場合が多い。【０００４】  また、パチンコ台の高機能化にともなって重量も最大３５ｋｇ程度と高重量となっていて、台巾も５２ｃｍと大きく、台枠との枢着個所の左ヒンジを支点として前方に開いた場合、台枠の上部板との取付け個所で特に左側の取付け個所に荷重が集中する。パチンコ台の開閉は点検の都度に行なわれるものであり、この開閉の繰り返しで取付け器具の器具本体の止着個所および台枠の取付け個所がゆるんでくる。この経年のゆるみはパチンコ台のガタつきの原因となり台の傾斜不良および開閉時の不具合の原因となる。【０００５】  これらの取付け器具は、台枠を構成する上部板及び下部板の夫々左右２箇所を取付けるようにしてパチンコ島に配設されるものであるが、パチンコ台をパチンコ島に取付ける場合、前述の観点より台枠の特に上部板の取付けが最も重要であり、台枠の上部取付け装置の性能次第でパチンコ台取付けの優劣が決定される。【０００６】  パチンコ台の取付装置としては、特許文献１があり、台枠を挟持部で持ち上げて取付けをおこなうものであり、また、同様な手段で取付けを行ない、さらに台枠の厚みが変わっても取付け可能とした特許文献２があり、また、前述のパチンコ台の高重量化による対策として取付け強度の解決を計った特許文献３がある。
【先行技術文献】
【特許文献】
【０００７】
【特許文献１】特開２００７−２５９９６１号
【特許文献２】特許第４９１０１５４号
【特許文献３】特開２０１３−４８８７２号
【発明の概要】
【発明が解決しようとする課題】
【０００８】  しかしながら、特許文献１は、パチンコ台の台枠を上の固定つめと下の可動つめで挟持して取付けるものであるが、台枠と島枠との間隙の最低規準は３ｍｍ〜４ｍｍであり、さらに上下の余裕も必要なので上の固定つめは薄板に限定され、従って、この曲げ強度は限定的になる。また、下部のつめが下側より台枠を押し上げて上部のつめで規制する取付け構造であるため、台枠の取付け時および取付け後において上部のつめが撓みやすく前述のパチンコ台のガタつきの原因となる。【０００９】  また、前述の高重量化によって台枠の取付けは格別の取付け強度が必要であるため、下部のつめの押圧力で上部のつめが撓んで島枠に突き当たると、角度調整部の機能を阻害してパチンコ台の傾き設定が困難となる。また、パチンコ島の島枠に器具の固定部を取付けるにあたり、単に一方向よりビス止めして固定しているが、この止着手段はパチンコ台の開閉での上下方向の繰り返し荷重で弛みやすく前述のパチンコ台のガタつきの原因となる。【００１０】  特許文献２は、台枠の取付けを前述の特許文献１と同様に、可動側のグリップアームと固定側のグリップベースとで台枠の上部板を挟持して行なうものである。従って、台枠の取付け時に下側のグリップアームの押圧力でグリップベースが上方に逃げて撓み脆弱な取付け状態となりパチンコ台がガタつく原因となる。また、このグリップベースの撓みによって台枠とパチンコ島との間隔が狭まるので、もともと間隔の狭い設置環境の場合、グリップベースが島上部枠構造を押し上げてグリップベース自体の前後移動を阻害し、結果としてパチンコ台の傾斜調整ができなくなる。【００１１】  また、台枠はグリップベースの先端に設けた板バネの案内でパチンコ島内に導入されて上記の取付けが行われるが、グリップベースは機械的な手段で上下移動するのではなく、器具自重による落下状態から持ち上げられるため引っかかり等があると台枠の導入が困難となる。【００１２】  また、パチンコ台の傾斜角度の調整範囲は、台枠の上部を１５ｍｍ程前後に移動させて営まれるものであり、スライドボルトに螺合したスライドタップの位置を同様に移動して傾斜角度を設定するこの器具に於いて、スライドボルトに吊り下げられているグリップベースが前方位置となる場合は、スライドボルトが水平姿勢で均衡していた器具自体の重心均衡が崩れ、スライドボルトは前端部が支承される縦長穴の下穴縁と、後端部が支承される縦長穴の上穴縁に夫々規制されて結果として前方に降下傾斜した姿勢で吊り下げられる。【００１３】  従って、スライドベースも同様の前傾姿勢となり、パチンコ島側と接していた板バネの先端部は接触力が弱まること、さらに該個所にスキマが生じること等で台枠の導入案内に支障をきたすことになる。【００１４】  また、厚みの薄い台枠に対応するためにラチェットボルトを回転してグリップの支点位置を前方に移動して取付けする場合、この支点位置の変化によってグリップの先端が上昇して開扉角度が小さくなるため、厚みが薄い台枠の取付け後に、次ぎに通常の厚みの台枠を導入した場合、台枠がグリップ先端に衝突してラチェットボルトの再調整が必要となる。パチンコ台の入れ替えは多様な機種が混在して行なわれるため、���記の調整は煩雑な作業であり、さらにグリップ先端の規準の高さが崩れると取付け前に高さの再確認が必要となる。【００１５】  また、台枠の取付けは梃子の原理を利用したレバーの上下操作で行なわれるため、この開放時、即ち、台枠の導入時にはレバーの先端部は下降した位置で待機することになる。
また、前述のようにパチンコ台の基盤ケースは大型化に伴ってケースと台枠下側との間隙が少ない機種は、上記待機姿勢のレバーが基盤ケースと衝突する。この状態では台枠にパチンコ台をセットしたままパチンコ島内に導入することができないため、台枠を外して別々に取り付けすることとなる。また、無理やりパチンコ島内に押し込むと基盤のケース破損の原因となる。また、この問題点は待機姿勢でのグリップにおいても同様である。【００１６】  特許文献３は本出願人に係るものであり、パチンコ島を構成する上架板と台枠との間隙に押圧板を設けて、押圧板で上方から台枠を押し付けて取付けを行うものであるが、この押圧板の押し下げに於けるパチンコ島の上架板側に働く反発力で、島の構造によってはたわみが生じて台枠の取付けが脆弱となる場合がある。【００１７】  この解消のために台枠の下側に支持板を設けて、支持板で台枠の下降を規制して取付けるようにしたものであるが、支持板の高さを一定とすることが難しいため台枠の導入時に台枠と衝突する場合があり、また、この支持板の高さ調整作業が煩雑で効率が悪く、特に台枠にパチンコ台をセットした状態での取付けは台枠の導入状態に前後の余裕が無いため現実的でない。【００１８】  また、台枠の取付け後に台枠の傾斜角度の調整をすることで、結果としてパチンコ台の傾斜角度が決定されるようにしているので、パチンコ台の傾斜を盤面の傾斜を規準として設定できない欠点がある。【００１９】  本発明は、上記事情に鑑みてなされたものであって、パチンコ台のパチンコ島への取付けにおいて、パチンコ台枠の上部板を堅固に取付けする取付け装置を提供して、パチンコ台が経年の利用によってもガタつき等が発生せずに所望の性能が発揮できるようにすることを目的としている。
【課題を解決するための手段】
【００２０】  前記課題を解決するため、この発明のパチンコ台枠の上部取付け装置は、パチンコ島のパチンコ台の設置区画にパチンコ台を取付けるにあたり、設置区画を構成する上架板にパチンコ台枠の上部板を取付けるパチンコ台枠の上部取付け装置であって、パチンコ台枠の取付けにおいて、上架板の下方に導入される上部板の上下に一対で設けられ、それぞれの回転中心部をピンで支持部材に軸支して先端部が上下に開閉自在とするとともに、この回転中心部には対向方向に係合部を設け、この係合部相互をピンで軸支して先端部が反する向きに開閉するようにし、さらに何れか一方の係合部にはリンクを備えた挟持板と、挟持板のリンクと係合して挟持板を開閉する開閉手段と、開閉手段を装着した上記の支持部材と、支持部材を固着もしくは、上下移動自在とした接続手段を介して連結して、この支持部材をパチンコ島の前後方向に移動可能とする移動調節手段と、移動調節手段を備えるとともにパチンコ島の上架板に止着する止着部材と、から少なくとも構成され、開閉手段を操作し、挟持板でパチンコ台枠の上部板を上下より押圧挟持してパチンコ台枠を取付けることを特徴とする。【００２１】  前記開閉手段は、支持部材に回転自在として縦向きに設けられ、一端を支持部材の底面より突出して操作部を設けた回転ボルトと、支持部材に回転を規制された状態で回転ボルトに螺合した板ナットとで構成するとともに、板ナットの下面にバネの付勢によって挟持板のリンクを係合して、操作部を回転操作することで挟持板が開閉するようにし、挟持板は上記での開扉状態で外圧によって自在に閉扉でき、パチンコ台枠にパチンコ台を装着した状態での取付けにおいて、下の挟持板がパチンコ台の基盤ケースと干渉しても上へ逃げて取付けが可能となるようにしたことを特徴とする。【００２２】  前記支持部材は、移動調節手段と上下移動自在として接続手段を介して連結するにあたり、挟持板が開扉した状態で上の挟持板の先端部が上架板の下面に押圧係合するようにして連結し、台枠の上部板が上架板の下方に導入されるにあたり上の挟持板と干渉しないようにし、また、上部板の取付け後の閉扉状態で上架板との係合を離脱して、パチンコ台枠を前後に移動調節できるようにしたことを特徴とする。【００２３】  前記支持部材は、移動調節手段と固着した状態で止着部材によってパチンコ島の上架板に止着するにあたり、挟持板が開扉した状態で上の挟持板の先端部が上架板の下面に押圧係合するようにして止着して、台枠の上部板が上架板の下方に導入されるにあたり上の挟持板と干渉しないようにし、また、上部板の取付け後の閉扉状態で上架板との係合を離脱して、パチンコ台枠を前後に移動調節できるようにしたことを特徴とする。【００２４】
上の挟持板は、先端部の下面をテーパーに形成してパチンコ台枠の上部板との干渉防止を図ったことを特徴とする。
【００２５】  前記挟持板の軸支位置を、相互の係合部の軸支位置を中心として、上の挟持板の軸支位置を前方、下の挟持板の軸支位置を後方とし、下の挟持板の開扉角度＞上の挟持板の開扉角度の関係として、パチンコ台枠の上部板の上下面が略同時的に挟持板で押圧挟持されるようにしたことを特徴とする。【００２６】  前記開閉手段は、この操作部をトルク調整機構を備えたトルクドライバーで駆動するようにして、挟持板が台枠の上部板を一定の力で押圧挟持するようにしたことを特徴とする。【００２７】
前記止着部材は、止着部をパチンコ島の上架板の上面に配設して、上架板の下側よりネジを貫通して上架板を上下より挟んで止着し、移動調節手段は、止着部材に懸架した移動調節ボルトと、この移動調節ボルトに螺合した連結ナットとで構成し、連結ナットを支持部材に設けた受け部に挿入するとともに支持部材の底部よりボルトを貫通して連結ナットに螺合した接続手段によって、支持部材を上下調整自在に連結し、挟持板が開扉した状態で、上の挟持板の先端部が上架板の下面に押圧係合するようにして支持部材の高さを設定することで、上架板の厚みにかかわらずにパチンコ台枠の上部板が取り付けできるようにしたことを特徴とする。
【００２８】  前記支持部材の受部における連結ナットの挿入間隙に弾機手段を配設して、連結ナットを支持部材の前方向もしくは後方向に付勢し、パチンコ台の台枠がパチンコ島の上架板の下側に導入されるにあたり、台枠の高さに対応して支持部材および挟持板が弾機手段の付勢個所を支点として上下に傾くようにし、パチンコ島の上架板と台枠の上部板との間隙の大小に係らずに台枠の取付が行なわれるようにしたことを特徴する。【００２９】  前記止着部材の止着部は、上の挟持板の先端部がパチンコ島の上架板の下面に押圧係合するようにしてパチンコ島の上架板の下面にネジで止着し、台枠の上部板が上架板の下方に導入されるにあたり上の挟持板と干渉しないようにし、また、上部板の取付け後の閉扉状態で上架板との係合を離脱して、パチンコ台枠を前後に移動調節できるようにしたことを特徴とする。【００３０】  移動調節手段は、止着部材に懸架した移動調節ボルトと、この移動調節ボルトに螺合するとともに支持部材を固着した連結ナットとで構成し、止着部材は移動調節ボルトを懸架支承する軸受個所に縦向きの長穴を形成して回転自在に支承し、パチンコ台の台枠がパチンコ島の上架板の下側に導入されるにあたり、台枠の高低に対応して、移動調節ボルトが長穴内で上下移動するようにして、パチンコ島の上架板と台枠の上部板との間隙の大小に係らずに、台枠の取付が行なわれるようにしたことを特徴する。
【発明の効果】
【００３１】  本発明は、上記のように構成したので、パチンコ台の上部、即ち台枠の上部板の取付けにおいて上部板を上下方向から押圧して挟持するようにしたので、上下何れか一方向のみの押圧での力の逃げによる脆弱な取付け状態を解消でき、特にパチンコ台の高重量化、さらにパチンコ台の開扉時の台枠上部への荷重の一極集中に対しても充分な耐久性を有して、長期間パチンコ台をガタつき無く取付けできる。【００３２】  また、上記の取付けにおいて台枠の厚みが異なっても特に他の調整操作の必要なく同様に取付けでき、さらにパチンコ島の上架板と台枠の上部板との間隙の大小に係らずに取付けができる。【００３３】  また、挟持板の開閉手段は上下の挟持板が外圧で自在に閉扉でき、バネによって復帰するようにしているので、上の挟持板は先端部を上架板の下面に係合した姿勢で待機して台枠の導入時に台枠と干渉せずに導入案内でき、この状態も変わることがない。一方、下の挟持板は上記の台枠の導入時、即ち、開扉状態でパチンコ台の基盤ケースもしくは台枠と干渉しても上側に逃げて衝突が忌避されるので、台枠にパチンコ台を装着した状態での取付けが可能となる。【００３４】  また、上の挟持板は台枠取付け後の閉扉状態で、パチンコ島の上架板との係合を離れて間隙が形成されるので、移動調節手段によるパチンコ台の傾斜調整が抵抗なく行なえる。【００３５】  また、上の挟持板の先端部の下面をテーパー状としたので、台枠の導入時に台枠の上部が干渉しても衝突することなく取付け位置に案内できる。【００３６】  また、開扉角度を相違する上下の挟持板は、挟持板相互の軸支位置の設定によって、台枠の上部板を上下方向より略同じ押圧力で挟持するので、台枠は堅固に取付けられる。【００３７】  また、開閉手段は支持部材の下側より回転ボルトを回して操作するようにしているので、台枠の導入時に基盤ケースや台枠と干渉することがない。【００３８】  また、開閉手段をトルクドライバーで操作することで、台枠は一定の押圧条件で挟持され、台枠の取付けは各台とも同一な条件で取付けられる。【００３９】  また、止着部材をパチンコ島の上架板の上面に設けて、上架板の下面よりネジで貫通止着しているので、装置自体が堅固に取付けられて台枠の取付け操作の繰り返しによっても、取付け個所が弛んでガタ付くことがない。【００４０】  また、挟持板の支持部材の上下位置を調整自在としているので、上架板の厚みに係らずに上の挟持板の待機姿勢、即ち、パチンコ島の上架板への押圧係合状態を一定とすることができ、台枠の取付けに影響を及ぼすことはない。【００４１】  また、移動調節手段と支持部材の連結個所に、弾機手段を設けて上架板と台枠の間隙の大小に応じて、支持部材および挟持板が該個所を支点として傾くようにしたので、上記の間隙が変化しても台枠の取付けおよびパチンコ台の傾斜調整に影響を及ぼすことがない。【００４２】  また、止着部材を上架板の下面にネジで直接止着した場合においては、予め挟持板の開扉角度を設定することで、上記同様に上の挟持板の待機姿勢を一定とすることができ、台枠の取付けに影響を及ぼすことはない。【００４３】  また、止着部材の移動調節ボルトを懸架支承する軸受個所に縦向きの長穴���形成して、上架板と台枠の間隙の大小によって支持部材および挟持板の高さがかわるようにしたので、支持部材自体の高さが変わったり傾いたりしても、上の挟持板は機械的な弾機作用で開扉した状態でパチンコ島の上架板に押圧係合して、パチンコ台の台枠をパチンコ島の上架板の下側に導入する場合に支障をきたすことがなく、また、台枠の取付けおよびパチンコ台の傾斜調整に影響を及ぼすことがない。
【図面の簡単な説明】
【００４４】
【図１】この発明のパチンコ台枠の上部取付け装置のパチンコ島への取り付け位置、およびパチンコ台枠とパチンコ台の取付け状態を示すパチンコ島の正面図。
【図２】パチンコ台の取付け状態を示す、図１の２−２線に沿う断面図。
【図３】パチンコ台枠の上部板の取付け状態を示す図２の要部拡大図。
【図４】パチンコ台枠の下部板の取付け状態を示す図２の要部拡大図。
【図５】パチンコ台枠の上部取付け装置の分解斜視図。
【図６】パチンコ台枠の下部取付け装置の分解斜視図。
【図７】（ａ）（ｂ）挟持板の開閉状態を示す断面図。
【図８】（ａ）（ｂ）支持部材の取付け状態を示す断面図。
【図９】上部板の取り付け状態を示す断面図。
【図１０】上下の挟持板の閉扉状態を示す説明図。
【図１１】（ａ）（ｂ）図１０の他の実施例を示す説明図。
【図１２】（ａ）（ｂ）パチンコ台と挟持板の干渉忌避が図られることを示す説明図。
【図１３】移動調節手段の操作状態を示す断面図。
【図１４】パチンコ台枠の上部取付け装置の他の実施例を示す断面図
【図１５】図１４の分解斜視図
【図１６】（ａ）（ｂ）図１４の弾機手段の要部拡大図
【図１７】図１４の実施例の説明図
【図１８】図１４の実施例の説明図
【図１９】弾機手段の他の実施例を示す要部拡大図
【図２０】弾機手段の他の実施例を示す要部拡大図
【図２１】図１９の拡大図
【図２２】図２１の右側面図
【図２３】パチンコ台枠の上部取付け装置の他の実施例を示す分解図
【図２４】図２３のパチンコ島への取付け状態を示す断面図
【図２５】パチンコ台枠の上部取付け装置の他の実施例を示す分解図
【図２６】図２５の実施例の断面図
【図２７】図２５の実施例の断面図
【図２８】図２５の実施例の台枠の取付け状態を示す断面図
【図２９】図２５の実施例の台枠の取付け状態を示す断面図
【図３０】パチンコ台枠の上部取付け装置の他の実施例を示す断面図
【図３１】パチンコ台枠の上部取付け装置の他の実施例を示す断面図
【発明を実施するための形態】
【００４５】  以下、図１〜図１３を参照し、この実施形態を通じて本発明を詳説する。
【００４６】  図１はパチンコ台１のパチンコ島２への取付け状態を例示している。パチンコ島２は上架板３と下架板４及びこの縦桟５とで、パチンコ台１が設置される設置区画６が形成されている。縦桟５は図に示したように玉の供給機５ａで代用される場合もある。
上記の設置区画６にパチンコ台１を取り付ける手段は、先ず台枠７を設置区画６内に入れて台枠７の取付け後にヒンジ構造８によってパチンコ台１を開閉自在に取付ける手段と、パチンコ台１に台枠７を装着した状態で取付ける手段がある。この発明装置は両方の取付け手段に対応することを前提としている。
【００４７】  この発明のパチンコ台枠の上部取付け装置９は、上架板３の各々の設置区画６ごとに左右に対で設置している。１０は下部取付け装置を示し、上記同様にして下架板４の各々の設置区画６ごとに左右に対で設置している。設置区画６内に導入された台枠７は、図２で示したように上部板５５が上部取り付け装置９で取付けされ、下部板５６が下部取付け装置１０で取付けされる。
【００４８】  図３は上部取付け装置９を示し、支持部材１１に枢着された上下の挟持板１２ａ、１２ｂと、挟持板１２の開閉手段１３と、移動調節手段１４を備えたパチンコ島２の止着部材１５とで構成している。支持部材１１は図５で示したように、軸穴１６を設けた上部板１７と、軸受凹部１８が形成された底部板１９と左右の側壁２０よりなる筐体であり、上部板１７の後方に後述の連結ナット２１が挿通する受部２２が設けられている。
【００４９】  ２３は６角の操作部２４の頸部に溝２５を設けた回転ボルトであり、先端に径小な支承部２６を形成している。回転ボルト２３に、ネジ穴２７を備えた板ナット２８を螺合した状態で図７で示したように支持部材１１内に装着して、軸穴１６に支承部２６が挿入され軸受凹部１８に溝２５が係合された状態で、軸受凹部１８と同様の軸受凹部２９を形成したスペーサー３０をこの軸受凹部２９が溝２５と係合するようにして差込み、透穴３２を介してネジ穴３１に止めネジ３３を螺着して回転ボルト２３を支持部材１１内に回転自在に取付ける。
【００５０】  ３４は挟持板１２の開扉を付勢するバネを示し、１本の線材を曲折して掛け止め部３５、支点部３６、作用部３７を形成している。このバネ３４を支持部材１１内に入れ、掛け止め部３５を側壁２０の止穴３８に掛け止めして上記の回転ボルト２３とで開閉手段１３を構成している。挟持板１２は上の挟持板１２ａと下の挟持板１２ｂとで構成され、上の挟持板１２ａは固着垂下した係合部３９に設けた回転中心部４０に軸穴４１を形成している。
【００５１】  下の挟持板１２ｂはＵ型に曲折した係合部４２に設けた回転中心部４３に軸穴４４を形成し、この先端には鋸状の押圧部４５を、一方、後端にはリンク４６を形成している。上下の挟持板１２ａ、１２ｂは図３で示したように係合部３９、４２相互に形成した軸穴４７、４８にピン４９を挿通して先端をカシメて抜け防止をした状態で支持部材１１内に入れ、バネ３４の作用部３７を押圧部４５に押圧係合させ、係合部３９、４２の軸穴４１、４４と支持部材１１の軸穴５２、５３にピン５０、５４を挿通して先端をカシメて抜け防止している。
【００５２】  上記の構成によって回転ボルト２３をレンチ等で回して、図７ａで示したように板ナット２８が回転ボルト２３の最上部に位置した時に挟持板１２はバネ３４の付勢で開扉状態となり、図９で示したように板ナット２８が降下するに従って閉扉して台枠７の上部板５５を上下方向より押圧して挟持する。また、挟持板１２は図７ｂで示したように、開扉状態で上下より押すとリンク４６が板ナット２８との係合を外れてフリーとなって自在に閉扉でき、また開放によってバネ３４の弾機作用で開扉状態に復帰する。
【００５３】  止着部材１５は、止着部６３を固着して山型に曲折した支持板５７と、この支持板５７に装着した移動調節手段１４とで構成している。止着部６３は断面Ｕ型として底部に止着穴５８を形成し、支持板５７は止着部６３側の垂下部５９ａに止着穴６０が形成されている。
この止着部材１５は図３で示したように止着部６３をパチンコ島２の上架板３上に配置し、垂下部５９ａを上架板３の後端に当接し、上架板３の下面側から皿ビス６１を貫通して止着穴５８に螺合し、また止着穴６０を介して止ネジ６２で上架板３に止着している。
皿ビス６１は先端にドリルを形成したドリルビスとすることで、上架板３に下穴を穿けなくても直接的に取り付けができ、取り付け後に皿頭部が木質の上架板３内に埋没するので上架板３の底面は平坦面となる。
【００５４】  移動調節手段１４は、連結ナット２１のネジ穴６４に螺合した移動調節ボルト６５と、挿通穴６６に挿通したガイド６７とで構成し、移動調節ボルト６５は両端部を垂下部５９ａ、５９ｂのガイド穴６８、６９内に配置している。移動調節ボルト６５は上記配置後の突出端部にカラー７０を被嵌して止め穴７１、７２にスプリングピン７３を打ち込んで抜け防止されている。
ガイド６７は先端の径小部７４を支承穴７５に、後端部を支承穴７６に夫々嵌入して溝７７にクリップ７７ａを止着して抜け防止を計っている。
移動調節ボルト６５の両端は６角の操作部７８に形成して、レンチで回転することで連結ナット２１はガイド６７で回転を規制され、且つガイド６７を摺動して前後に移動する。
【００５５】  次ぎに、図８ａ、８ｂで示したように止着部材１５が島架板３に取り付いた状態で、支持部材１１および挟持板１２の装着手順を説明する。
図８ａの挟持板１２の開扉状態で、支持部材１１を持ち上げて受部２２に連結ナット２１を挿入し、この下端のネジ穴７９に穴８０を介してボルト８１を螺合して図８ｂに示したように支持部材１１を吊り下げる。
【００５６】  支持部材１１は、上記の受部２２と連結ナット２１及びボルト８１とで構成した接続手段１０５で止着部材１５に上下移動自在として連結される。
【００５７】  上記においてボルト８１を回転すると、上の挟持板１２ａの先端が上架板３の下面に押圧係合し、ボルト８１を回すことで上架板３と支持部材１１もしくは挟持板１２ａとの間隙Ａが増減する。
上架板３の下面と台枠７の上部板５５との間隙Ｂは通常４ｍｍ前後に設計されているので、この間隙Ｂから挟持板１２ａの厚みを減算した相当値で間隙Ａを設定すれば上部板５５の取付け後の移動調整手段１４の操作に支障がないので、この設定には支持部材１１の上端と上架板３の下面との間に間隙Ａ相当厚みのスペーサーを介在させて上記の高さ調整を行い、止ネジ８２をナット８３に螺入して連結ナット２１を受部２２の内壁に押し付けて支持部材１１を固定し、この固定後にスペーサーを取り除いて使用に供する。
【００５８】  上記によって、上の挟持板１２ａの先端部が上架板３の下面に係合した状態で、上架板３の厚みの大小にかかわらずに、支持部材１１を適正な高さに設定できる。また、上架板３の下面と上部板５５の間隙Ｂが比較的大きい場合はボルト８１を回して鎖線で示したように適宜間隔に降下設定するが、この時に挟持板１２ａ、１２ｂは大きく開扉して上の挟持板１２ａの先端部は同様に上架板３の下面との係合状態を継続する。
【００５９】  台枠７の取付けは、図８ｂの挟持板１２の開扉状態で行い、台枠７を設置区画６に入れることで上部板５５が上下の挟持板１２ａ、１２ｂ間に導入されて支持部材１１に突き当たる。上部板５５は水平より斜めに入る場合もあり、この際、上の挟持板１２ａの先端部下面をテーパー５１に形成しているのでこのテーパー面の案内で干渉が防止される。
【００６０】  次いで、回転ボルト２３の操作部２４を回して図３及び図９に示したように挟持板１２を閉扉して上部板５５を押圧挟持する、この際、上部板５５は上下方向より押圧されるとともに下の挟持板１２ｂの鋸状の押圧部４５が、台枠７が木製の場合は喰いこみ、またアルミ等の金属製の場合は尖った先端に応力が集中することで強力に押圧して堅固に取付けられる。
間隙Ｂの大小によって上部板５５の高さが変わり、上下の挟持板１２ａ、１２ｂの押圧条件も変化するものであるが、間隙Ｂは現実には４ｍｍ〜最大で７ｍｍ程度であり、この誤差は上部板５５の多少の撓み、挟持板１２の反り、支持部材１１との枢着部のアソビ等で吸収されるので、間隙Ｂの変化で取り付け強度は影響を受けない。
また、この取り付け後には間隙Ａが必ず確保されるため上部板５５が上架板３と干渉する不具合が防止される。
【００６１】  図１０〜図１１ａ、図１１ｂで示したように、上記の取り付けに於いては上の挟持板１２ａは図８ｂで示した間隙Ａ内で開扉するため下の挟持板１２ｂに比較して開閉角度が小さく、反面、上部板５５が堅固に取付けられるには上下より同程度の条件で押圧することが望ましい。図１０では、上の挟持板１２ａの係合部３９の軸支位置、即ち軸穴４１を、相互を枢着した軸穴４７、４８より前側とし、下の挟持板１２ｂの軸支位置、即ち軸穴４４を後側としたので、上の挟持板１２ａの開扉角度Ｃは下の挟持板１２ｂの開扉角度Ｄより小さくなり、上部板５５を上下より略同じ条件で押圧する。
【００６２】  図１１ａ、１１ｂでは上の挟持板１２の係合部３９の軸穴４７を長穴４７ａとして、上記と同様な作用となるようにしている。図１１ａの挟持板１２ａの開扉状態では、ピン４９は長穴４７ａの前側の穴縁に位置し、閉扉開始して長穴４７ａの後側の穴縁に到ってから図１１ｂで示したように上の挟持板１２ｂが初めて閉扉動作を開始するようにしている。
上記によって、上部板５５は厚みが違っても挟持板１２で上下より略同一状態で押圧挟持されるので堅固に取付けが行なわれる。
【００６３】  図１２は台枠７にパチンコ台１を装着した状態で取付ける場合を例示し、この時パチンコ台１の機種および挟持板１２の開扉角度によっては、基盤ケース８４の上側が下の挟持板１２ｂと干渉する場合、下の挟持板１２ｂはバネ３４に抗して自由に閉じることができるので基盤ケース８４の上面の案内で上に逃げて干渉が防止され、図１２ｂで示したように取付け後に於いても移動調整手段１４の操作に支障を及ぼさない。
【００６４】  上記の台枠７の上部板５５の取り付けに於いては、回転ボルト２３の６角の操作部２４をレンチで回して行なうが、これをトルク調整機構を備えた電動もしくは手動のトルクドライバーで行なうことで取付け条件が一定となる。
【００６５】  図１３は移動調整手段１４の操作状態を示し、移動調節ボルト６５の６角の何れかの操作部７８に可撓性のコントロールワイヤー８５のソケット８６を嵌合し、パチンコ島２側に臨ませた他端を回転操作して行なう。
この操作に於いて連結ナット２１が前後移動してパチンコ台１の傾きが調整される。ソケット８６はパチンコ島２内の他機器との干渉状況に応じて取り付け位置を前後に変えて利用できる。
【００６６】  上述の実施例では、台枠７の取付けにおいて上架板３と台枠７の間隙Ｂの大小によっては支持部材１１の前側、即ち、挟持板１２側が上下に傾く力が加わる場合があり、この傾きによって連結ナット２１が移動調節ボルト６５に傾いて螺合するため動きが硬くなり、移動調節ボルト６５の回転操作にいらない力を必要とすることになる。
【００６７】  図１４から図２２は、上記の問題点を解決した上部取付け装置９の他の実施例を示している。
支持部材１１の受部２２は連結ナット２１を収容するにあたり、内部の前後方向に挿入間隙１０６を形成し、この挿入間隙１０６に弾機手段１０７を介在して連結ナット２１が前方に押圧されるようにしている。
弾機手段１０７は、逆Ｕ字型の板バネ１０８で構成し、この板バネ１０８は湾曲した作用部１０９が挿入間隙１０６に臨むようにして、止穴１１０に止ネジ１１１によって受部２２の外側のナット１１２を介して止着している。
【００６８】  止着部材１５と支持部材１１の連結は、連結ナット２１に板バネ１０８を押圧しながら受部２２を持ち上げて被嵌し、前述と同様にしてボルト８１によって連結する。上記において上架板３と台枠７との間隙Ｂの大小によって支持部材１１が傾く力が加わった場合、支持部材１１は板バネ１０８と連結ナット２１との係合個所、即ち、弾機手段１０７の付勢個所を押圧して該個所を支点として図１６ａおよび図１６ｂで示したように上下方向に傾き、結果として連結ナット２１の傾きが軽減され、移動調節ボルト６５との螺合状態に影響を及ぼすことがない。
図１６ａは、間隙Ｂが標準より小さいために支持部材１１の前側が上がった傾き状態を点線で示し、図１６ｂおよび図１８は、間隙Ｂが大きいために支持部材１１の前側が降下した傾き状態を示している。
【００６９】  上記では、板バネ１０８が連結ナット２１を弾機的に押圧して台枠７が取付けられているので、台枠７が取外された場合、支持部材１１は図１４に示したように水平な姿勢に復帰する。また、板バネ１０８は受部２２内の前側に止着して連結ナット２１の前側に係合するようにしても同様の作用が営まれる。
【００７０】  図１９から図２２は弾機手段１０７を前述の板バネ１０８に変えてボールプランジャー１１３を使用した他の実施例を示している。ボールプランジャー１１３は図２１に示したように、外周にネジ１１４を形成したケーシング１１５と、一端を狭口の開口１１６とした収容穴１１７内にバネ１１８で付勢して収容したボール１１９とで構成している。
このボールプランジャー１１３は、受部２２に設けたナット１１２に螺合し、取付け穴１２１を貫通してボール１１９で連結ナット２１を弾機的に押圧している。１２２はケーシング１１５をネジ込む６角穴を示している。
この弾機手段１０７は前述と同様の作用が営まれる。
【００７１】  図１５は、止着部材１５に連結ナット２１の回転防止板１２０を設けて連結ナット２１の回転を防止し、取付け後の台枠７が左右に動かないようにしている。
回転防止板１２０は、止着部６３の両側を立ち上げて支持板５７の垂下部５９ａ、５９ｂの左右両側に固着し、連結ナット２１の左右両側面に係合して回転を規制している。
【００７２】  図２３および図２４は止着部材１５の他の実施例を示している。
前記同様の山型の支持板８７の前側の垂下部８８ａに、挟持板１２ａが配置される凹部８９が形成されるようにして下端部の左右を水平に曲折して止着部９０を形成している。止着部材１５の上架板３への取り付けに於いては、図２４で示したように、止着部９０を上架板３の下面に配設し、前側の垂下部８８ａを上架板３の後端に当接して、夫々の止穴９１、９２に皿ビス９３、９４を止着して上架板３に取付ける。
凹部８９に配置される上の挟持板１２ａおよびその他部材は前記と同様にして操作に供し、同様にして台枠７の上部板５５を取付ける。
【００７３】  図２５から図３１は上記と同様の止着部材１５を利用した上部取付け装置９の他の実施例を示している。
図３０と図３１の実施例では、連結ナット２１を支持部材１１の上部板１７に固着して、支持部材１１の取付け高さを一定とした例を示している。
この場合、上架板３と台枠７の間隙Ｂが規準の４ｍｍ程度として支持部材１１の高さを設定している。従って、図３０および図３１で示したように間隙Ｂが変化した場合においても、前述と同様に上部板５５の多少の撓み、挟持板１２の反り、支持部材１１との枢着部のアソビ等で吸収されるので取り付け強度は影響を受けない。
【００７４】  また、間隙Ｂの変化によって移動調節ボルト６５は前述と同様に動きが硬くなるものであるが、図２６〜図２９に示したように止着部材１５における支持板８７の垂下部８８ａ、８８ｂに長穴１２３ａ、１２３ｂを穿設して、この長穴１２３ａ、１２３ｂで移動調節ボルト６５を懸架支承することで解消している。
図２５で示した前側の垂下部８８ａの長穴１２３ａには移動調節ボルト６５の先端の径小部１２４が配置し、後端部は垂下部８８ｂの長穴１２３ｂに回転自在に設けられている。
【００７５】  上記の構成において図２６で示したように、間隙Ｂが大きい場合は移動調節ボルト６５は長穴１２３ａ、１２３ｂの下端に支承され、台枠７が上の挟持板１２ａの下側に導入されて図２８で示したように取付けられるが、図２７で示したように間隙Ｂが小さい場合は台枠７の上部板５５が上の挟持板１２ａの下面を押上げながら導入されることで、支持部材１１が同様に押上げられ、移動調節ボルト６５が長穴１２３ａ、１２３ｂ内で上昇して図２９で示したように台枠７が取り付けられる。
このようにして支持部材１１の高さが変わることで、連結ナット２１と移動調節ボルト６５の螺合状態に負荷がかかることが忌避され、間隙Ｂの変化によって移動調節ボルト６５の動きが硬くなることがない。
【００７６】  図２、図４、図６で示した台枠７の下部取付け装置１０は、同一出願人に係る特開２０１３−４８８７２号で示しているが、パチンコ島２の下架板４に取付ける基材９６と、ナット９７に螺着して台枠７の下部板５６を押圧固定する押さえ螺子９９と、ナット取り付け具１００を介して螺子１０１で基材９６に取り付けられたナット１０２と、このナット１０２に螺着した位置決めボルト１０３とで構成されている。
【００７７】  下部板５６の取付けに於いては、上部取付け装置９と同様に押さえ螺子９９の６角の操作部１０４をレンチもしくはトルクドライバーで操作して行なう。
【符号の説明】
【００７８】  １・・・パチンコ台
２・・・パチンコ島
３・・・上架板
４・・・下架板
６・・・設置区画
７・・・台枠
９・・・上部取付け装置
１０・・・下部取付け装置
１１・・・支持部材
１２ａ、１２ｂ・・・挟持板
１３・・・開閉手段
１４・・・移動調節手段
１５・・・止着部材
２１・・・連結ナット
２２・・・受部
２３・・・回転ボルト
２４・・・操作部
２８・・・板ナット
３４・・・バネ
３９・・・係合部
４０・・・回転中心部
４３・・・回転中心部
４２・・・係合部
４６・・・リンク
４９・・・ピン
５０・・・ピン
５１・・・テーパー
５４・・・ピン
５５・・・上部板
５６・・・下部板
５７・・・支持板
６３・・・止着部
６５・・・移動調節ボルト
８４・・・基盤ケース
８７・・・支持板
９０・・・止着部
１０５・・・接続手段
１０６・・・挿入間隙
１０７・・・弾機手段
１０８・・・板バネ
１２３ａ、１２３ｂ・・・長穴
Ｂ・・・間隙
【図１】
0006410533.tif 000002
【図２】
0006410533.tif 000003
【図３】
0006410533.tif 000004
【図４】
0006410533.tif 000005
【図５】
0006410533.tif 000006
【図６】
0006410533.tif 000007
【図７】
0006410533.tif 000008
【図８】
0006410533.tif 000009
【図９】
0006410533.tif 000010
【図１０】
0006410533.tif 000011
【図１１】
0006410533.tif 000012
【図１２】
0006410533.tif 000013
【図１３】
0006410533.tif 000014
【図１４】
0006410533.tif 000015
【図１５】
0006410533.tif 000016
【図１６】
0006410533.tif 000017
【図１７】
0006410533.tif 000018
【図１８】
0006410533.tif 000019
【図１９】
0006410533.tif 000020
【図２０】
0006410533.tif 000021
【図２１】
0006410533.tif 000022
【図２２】
0006410533.tif 000023
【図２３】
0006410533.tif 000024
【図２４】
0006410533.tif 000025
【図２５】
0006410533.tif 000026
【図２６】
0006410533.tif 000027
【図２７】
0006410533.tif 000028
【図２８】
0006410533.tif 000029
【図２９】
0006410533.tif 000030
【図３０】
0006410533.tif 000031
【図３１】
0006410533.tif 000032